(57)【要約】【課題】スタジオ制作におけるタイムキーパーの負担を軽減する。【解決手段】自動タイムキープ装置１０は、番組の項目名及び放送予定時間の情報を含む番組構成情報を取得するデータ取得部１１と、番組経過時間を計測する番組経過時間計測部１３２と、現在進行中の項目の前の項目までの、放送予定時間に対する遅れ時間及び進み時間の合計時間を算出する進行状況把握部１３４と、現在進行中の項目の放送予定時間と、現在進行中の項目の放送時間との差分時間である項目残時間を算出する項目残時間算出部１３５と、前記番組構成情報と、前記番組経過時間と、前記合計時間と、前記項目残時間とを示すタイムキープ画面を生成するタイムキープ画面生成部１３８と、前記タイムキープ画面を表示装置３０に出力するデータ出力部１４とを備える。【選択図】図３
2020088751.tif 000002
【特許請求の範囲】
【請求項１】
複数の項目で構成される番組のタイムキープを自動で行う自動タイムキープ装置であって、
番組の項目名及び放送予定時間の情報を含む番組構成情報を取得するデータ取得部と、
前記番組の経過時間である番組経過時間を計測する番組経過時間計測部と、
現在進行中の項目の前の項目までの、前記放送予定時間に対する遅れ時間及び進み時間の合計時間を算出する進行状況把握部と、
現在進行中の項目の前記放送予定時間と、現在進行中の項目の経過時間との差分時間である項目残時間を算出する項目残時間算出部と、
前記番組構成情報と、前記番組経過時間と、前記合計時間と、前記項目残時間とを示すタイムキープ画面を生成するタイムキープ画面生成部と、
前記タイムキープ画面を表示装置に出力するデータ出力部と、
を備えることを特徴とする自動タイムキープ装置。
【請求項２】
前記タイムキープ画面生成部は、現在進行中の項目の項目名を他の項目名と区別可能な態様で示すことを特徴とする、請求項１に記載の自動タイムキープ装置。
【請求項３】
前記番組構成情報に基づいて、現在進行中の項目が次の項目に切り替わる予定の時刻を決定する次項目時刻決定部を更に備え、
前記タイムキープ画面は、前記次項目時刻決定部により決定された時刻を示すことを特徴とする、請求項１又は２に記載の自動タイムキープ装置。
【請求項４】
所定の項目の前の項目までの前記合計時間を、該所定の項目の前記放送予定時間から差し引いた調整時間を算出する遅れ／進み時間調整部を更に備え、
前記タイムキープ画面は、前記調整時間を示すことを特徴とする、請求項１から３のいずれか一項に記載の自動タイムキープ装置。
【請求項５】
現在進行中の項目の項目名と前記番組経過時間とを示すサブ画面を生成するサブ画面生成部を更に備え、
前記データ出力部は、前記タイムキープ画面と前記サブ画面を異なる表示装置に出力することを特徴とする、請求項１から４のいずれか一項に記載の自動タイムキープ装置。
【請求項６】
前記項目残時間を通知する音声データを生成する音声データ生成部を更に備え、
前記データ出力部は、前記音声データを音声出力装置に出力することを特徴とする、請求項１から５のいずれか一項に記載の自動タイムキープ装置。
【請求項７】
前記音声データ生成部は、前記合計時間を通知する音声データをさらに生成することを特徴とする、請求項６に記載の自動タイムキープ装置。
【請求項８】
コンピュータを、請求項１から７のいずれか一項に記載の自動タイムキープ装置として機能させるためのプログラム。
【発明の詳細な説明】
【技術分野】
【０００１】
本発明は、複数の項目で構成される番組のタイムキープを自動で行う自動タイムキープ装置及びプログラムに関する。
【背景技術】
【０００２】
従来、放送局のスタジオ制作では、タイムキーパーがストップウオッチなどを用いて番組の進行具合を管理し、番組がスケジュールされた時刻どおりに進行できるように時間調整を行っている。また、特許文献１には、番組放送を円滑に行うために、番組進行時間を調整するクッション項目の放送可能時間をリアルタイムで自動的に更新する技術が開示されている。
【先行技術文献】
【特許文献】
【０００３】
【特許文献１】特開２００１−１３６１３７号公報
【発明の概要】
【発明が解決しようとする課題】
【０００４】
特許文献１に記載の技術では、クッション項目の放送可能時間を自動で表示することができるが、各項目の残り時間の計測なども自動化して、タイムキーパーの負担をさらに軽減することが望まれていた。
【０００５】
かかる事情に鑑みてなされた本発明の目的は、スタジオ制作におけるタイムキーパーの負担を軽減することが可能な自動タイムキープ装置及びプログラムを提供することにある。
【課題を解決するための手段】
【０００６】
上記課題を解決するため、本発明に係る自動タイムキープ装置は、複数の項目で構成される番組のタイムキープを自動で行う自動タイムキープ装置であって、番組の項目名及び放送予定時間の情報を含む番組構成情報を取得するデータ取得部と、前記番組の経過時間である番組経過時間を計測する番組経過時間計測部と、現在進行中の項目の前の項目までの、前記放送予定時間に対する遅れ時間及び進み時間の合計時間を算出する進行状況把握部と、現在進行中の項目の前記放送予定時間と、現在進行中の項目の経過時間との差分時間である項目残時間を算出する項目残時間算出部と、前記番組構成情報と、前記番組経過時間と、前記合計時間と、前記項目残時間とを示すタイムキープ画面を生成するタイムキープ画面生成部と、前記タイムキープ画面を表示装置に出力するデータ出力部と、を備えることを特徴とする。
【０００７】
さらに、本発明に係る自動タイムキープ装置において、前記タイムキープ画面生成部は、現在進行中の項目の項目名を他の項目名と区別可能な態様で示すことを特徴とする。
【０００８】
さらに、本発明に係る自動タイムキープ装置において、前記番組構成情報に基づいて、現在進行中の項目が次の項目に切り替わる予定の時刻を決定する次項目時刻決定部を更に備え、前記タイムキープ画面生成部は、前記次項目時刻決定部により決定された時刻を示すことを特徴とする。
【０００９】
さらに、本発明に係る自動タイムキープ装置において、所定の項目の前の項目までの前記合計時間を、該所定の項目の放送予定時間から差し引いた調整時間を算出する遅れ／進み時間調整部を更に備え、前記タイムキープ画面生成部は、前記調整時間を示すことを特徴とする。
【００１０】
さらに、本発明に係る自動タイムキープ装置において、現在進行中の項目の項目名と前記番組経過時間とを示すサブ画面を生成するサブ画面生成部を更に備え、前記データ出力部は、前記タイムキープ画面と前記サブ画面を異なる表示装置に出力することを特徴とする。
【００１１】
さらに、本発明に係る自動タイムキープ装置において、前記項目残時間を通知する音声データを生成する音声データ生成部を更に備え、前記データ出力部は、前記音声データを音声出力装置に出力することを特徴とする。
【００１２】
さらに、本発明に係る自動タイムキープ装置において、前記音声データ生成部は、前記合計時間を通知する音声データをさらに生成することを特徴とする。
【００１３】
また、上記課題を解決するため、本発明に係るプログラムは、コンピュータを、上記自動タイムキープ装置として機能させることを特徴とする。
【発明の効果】
【００１４】
本発明によれば、スタジオ制作におけるタイムキーパーの負担を軽減することが可能となる。
【図面の簡単な説明】
【００１５】
【図１】本発明の第１の実施形態に係る自動タイムキープ装置を含む自動タイムキープシステムの概略を示す図である。
【図２】本発明の第１の実施形態に係る自動タイムキープ装置の構成例を示すブロック図である。
【図３】本発明の第１の実施形態に係る自動タイムキープ装置における制御部の構成例を示すブロック図である。
【図４】番組構成表の一例を示す図である。
【図５】番組構成情報画面の一例を示す図である。
【図６】タイムキープを開始する前のタイムキープ画面の一例を示す図である。
【図７】開始位置を指定する場合のタイムキープ画面の一例を示す図である。
【図８】タイムキープを開始した後のタイムキープ画面の第１の例を示す図である。
【図９】タイムキープを開始した後のタイムキープ画面の第２の例を示す図である。
【図１０】本発明の第１の実施形態に係る自動タイムキープ装置の動作例を示すフローチャートである。
【図１１】本発明の第２の実施形態に係る自動タイムキープ装置を含む自動タイムキープシステムの概略を示す図である。
【図１２】本発明の第２の実施形態に係る自動タイムキープ装置の構成例を示すブロック図である。
【図１３】本発明の第２の実施形態に係る自動タイムキープ装置における制御部の構成例を示すブロック図である。
【図１４】タイムキープを開始した後のサブ画面の一例を示す図である。
【発明を実施するための形態】
【００１６】
以下、本発明の実施形態について、図面を参照して詳細に説明する。
【００１７】
（第１の実施形態）
図１に、本発明の第１の実施形態に係る自動タイムキープ装置を含む自動タイムキープシステムの概略を示す。自動タイムキープシステム１は、自動タイムキープ装置１０と、入力装置２０と、表示装置３０と、スイッチャー４０と、インターフェース４２と、タリー信号分類装置４４と、１以上の撮像装置（カメラ）５０と、１以上の録画映像送出装置６０と、を備える。図１では、自動タイムキープ装置１０と、入力装置２０と、表示装置３０とを区別して表示し、本実施形態ではそれぞれ別個の装置として説明するが、自動タイムキープ装置１０は、入力装置２０及び表示装置３０と一体に構成されてもよい。
【００１８】
入力装置２０は、ユーザの操作による入力を受け付ける。入力装置２０は、例えばキーボード及びマウスである。表示装置３０は、自動タイムキープ装置１０による制御に従って画面を表示する。表示装置３０は、例えば液晶ディスプレイ又は有機ＥＬ（Electro-Luminescence）ディスプレイである。入力装置２０及び表示装置３０は、タッチパネルとして一体に構成されてもよい。
【００１９】
スイッチャー４０は、番組進行に合わせて自動又は手動で映像を切り替えることができる。スイッチャー４０は、映像の切り替えに基づいて自動でタリー信号を生成し、タリー信号をインターフェース４２に出力する。
【００２０】
インターフェース４２は、スイッチャーから入力したタリー信号の接点を分配し、タリー信号分類装置４４に出力する。
【００２１】
タリー信号分類装置４４は、インターフェース４２から入力したタリー信号を、本実施形態では、撮像装置５０の群と、録画映像送出装置６０の群に分類する。群の分類は、任意に指定することができ、例えばさらに中継映像送出装置群を含めて３つの群に分類してもよい。番組進行に合わせてそれぞれの群間をタリー信号が移動すると、項目（コーナー）が１つ進んだことが分かる。なお、図１に示す例では、自動タイムキープ装置１０の外部にタリー信号分類装置４４を備える構成としているが、自動タイムキープ装置１０がタリー信号分類装置４４の機能を備える構成としてもよい。自動タイムキープ装置１０は、スイッチャー４０からタリー信号を取得することが困難な場合には、タリー信号分類装置４４に接続した手動スイッチ、又は後述するテイクボタンを使った、ユーザの手動テイク操作に基づいて、項目が進んだことを判定する。
【００２２】
自動タイムキープ装置１０は、番組制作時のタイムキーパーの役割を果たす装置であり、複数の項目（コーナー）で構成される番組のタイムキープを自動で行う。
【００２３】
図２に、自動タイムキープ装置１０の構成例を示す。自動タイムキープ装置１０は、データ取得部１１と、記憶部１２と、制御部１３と、データ出力部１４とを備える。
【００２４】
データ取得部１１は、ユーザ（例えば、ディレクター）が入力装置２０を用いて入力した番組構成情報などを取得する。番組構成情報は、番組構成表に記載された情報であり、番組の項目名及び放送予定時間（尺）の情報を含む。番組構成情報の詳細については後述する。
【００２５】
記憶部１２は、番組構成情報など、自動タイムキープ装置１０の動作に用いられる任意の情報を記憶する。記憶部１２は、１つ以上のメモリを含み、例えば半導体メモリ、磁気メモリ、光メモリなどを含んでよい。記憶部１２に含まれる各メモリは、例えば主記憶装置、補助記憶装置、又はキャッシュメモリとして機能してよい。
【００２６】
制御部１３は、後述するタイムキープ画面を生成する。制御部１３は、専用のハードウェアによって構成されてもよいし、ＣＰＵ（Central Processing Unit）によって構成されてもよい。
【００２７】
データ出力部１４は、制御部１３が生成したタイムキープ画面を表示装置３０に適応するようにフォーマット変換した後、表示装置３０に出力して表示させる。
【００２８】
図３に、制御部１３の構成例を示す。制御部１３は、番組構成表示画面生成部１３１と、番組経過時間計測部１３２と、項目経過時間計測部１３３と、進行状況把握部１３４と、項目残時間算出部１３５と、次項目時刻決定部１３６と、遅れ／進み時間調整部１３７と、タイムキープ画面生成部１３８とを備える。
【００２９】
番組構成表示画面生成部１３１は、ユーザに番組構成情報を入力させるための番組構成情報入力画面を生成する。ユーザは、番組構成情報入力画面に対して番組構成情報を入力し、データ取得部１１が番組構成情報を取得する。そして、番組構成表示画面生成部１３１は、番組構成情報入力画面、及びデータ取得部１１が取得した番組構成情報に基づいて、番組構成表示画面を生成する。なお、自動タイムキープ装置１０は、番組構成表から番組構成情報を取り込んで、自動で番組構成表示画面を完成させてもよい。
【００３０】
図４及び図５を用いて、ユーザによる番組構成情報の入力について説明する。図４は、番組構成表の一例を示す図である。図５は、番組構成情報入力画面及び番組構成表示画面の一例を示す図である。
【００３１】
番組構成情報入力画面３０９は、複数の項目欄３１４により構成される。各項目欄３１４は、項目名欄３１１と、尺欄３１２と、番組累積時間欄３１３とを含む。ユーザは、表示装置３０に表示された番組構成情報入力画面３０９の項目名欄３１１に、入力装置２０を用いて番組構成表に記載された「項目名」を記入する。「項目名」は番組内の項目の名称である。図４に示す番組構成表には、「項目名」が「売りＶ」、「大前説」、「ＶＴＲ１」、及び「スタジオ１」であることが記載されている。なお、項目名はユーザが識別できればよいため、番組構成表の項目名と、項目名欄３１１の項目名とを完全に一致させる必要はない。また、項目名は後から書き換えることも可能である。
【００３２】
また、ユーザは、表示装置３０に表示された番組構成情報入力画面３０９の尺欄３１２に、入力装置２０を用いて番組構成表に記載された「尺」、すなわち各項目の放送予定時間を記入する。図４に示す番組構成表には、項目名が「売りＶ」である項目の尺が２分２４秒であることが記載されている。以下、項目名が「○○」である項目のことを、略して項目「○○」と称する。同様に図４に示す番組構成表には、項目「大前説」の尺が１分３６秒であり、項目「ＶＴＲ１」の尺が９分１７秒であり、項目「スタジオ１」の尺が４分４３秒であることが記載されている。なお、録画映像の尺は番組放送時に変化しないが、スタジオ映像の尺は番組放送時に変化し得る。
【００３３】
ユーザが番組構成情報入力画面３０９の尺欄３１２に時間を記入すると、番組累積時間欄３１３には、番組が開始してから同じ項目欄３１４に記載された項目名の項目が終了するまでの累積時間が自動で算出される。図５に示す例では、項目「売りＶ」の尺が２分２４秒であり、項目「大前説」の尺が１分３６秒であるため、１分３６秒の隣の番組累積時間欄３１３には、両者の合計時間である４分０秒と表示される。なお、尺欄３１２に記入した時間は上下のボタンで変更することができ、尺欄３１２の時間を変更した場合には、番組累積時間欄３１３の時間も自動で変更される。ユーザが番組構成情報入力画面３０９の項目名欄３１１及び尺欄３１２に番組構成情報を記入すると、番組累積時間欄３１３の時間が自動で表示され、番組構成表示画面３１０が完成する。
【００３４】
図３に戻り、番組経過時間計測部１３２は、番組の放送開始からの経過時間（番組経過時間）を計測する。
【００３５】
項目経過時間計測部１３３は、現在進行中の項目の経過時間（項目経過時間）を計測する。
【００３６】
進行状況把握部１３４は、項目の放送が終了した時点で、該項目の実際の放送時間と、放送予定時間との差分時間を算出する。項目の実際の放送時間は、項目経過時間計測部１３３により計測される。実際の放送時間のほうが長かった場合には、プラスの差分時間は遅れ時間であり、実際の放送時間のほうが短かった場合には、マイナスの差分時間は進み時間である。なお、録画映像のように時間が確定している映像を放送する項目については、遅れ時間及び進み時間は発生しないため、上記の差分時間を算出する必要はない。そして、進行状況把握部１３４は、現在進行中の項目の前の項目までの、放送予定時間に対する遅れ時間及び進み時間の合計時間を算出する。
【００３７】
項目残時間算出部１３５は、現在進行中の項目の放送予定時間と、項目経過時間計測部１３３により計測された項目経過時間との差分時間（項目残時間）を算出する。
【００３８】
次項目時刻決定部１３６は、番組構成情報に基づいて、現在進行中の項目が次の項目に切り替わる予定の時刻（次項目時刻）を決定する。
【００３９】
遅れ／進み時間調整部１３７は、所定の項目の前の項目までの放送予定時間に対する遅れ時間及び進み時間の合計時間を、該所定の項目の放送予定時間から差し引いた時間（調整時間）を算出する。
【００４０】
タイムキープ画面生成部１３８は、番組構成表示画面生成部１３１により生成された番組構成表示画面と、番組経過時間計測部１３２により計測された番組経過時間を示す番組経過時間表示画面と、進行状況把握部１３４により算出された時間を示す進行状況表示画面と、項目残時間算出部１３５により算出された項目残時間を示す項目残時間表示画面と、次項目時刻決定部１３６により決定された次項目時刻を示す次項目時刻表示画面と、遅れ／進み時間調整部１３７により算出された調整時間を示す調整時間表示画面とを含むタイムキープ画面を生成する。タイムキープ画面生成部１３８は、さらに項目経過時間計測部１３３により計測された項目経過時間を示す項目経過時間表示画面をタイムキープ画面に含めてもよい。そして、タイムキープ画面生成部１３８は、生成したタイムキープ画面をデータ出力部１４に出力する。
【００４１】
タイムキープ画面生成部１３８は、番組の放送が開始すると、番組構成表示画面のうち、現在進行中の項目の項目名を他の項目名と区別可能な態様で示してもよい。
【００４２】
また、タイムキープ画面生成部１３８は、ユーザからの指示を受け付けるボタンを示すボタンアイコンを生成して、タイムキープ画面に含めてもよい。ユーザによるボタンアイコンのオンオフは、制御部１３の各機能ブロックに通知される。
【００４３】
図６に、タイムキープを開始する前の、表示装置３０に表示されたタイムキープ画面の一例を示す。図６に示す例では、タイムキープ画面３１は、番組構成表示画面３１０と、番組経過時間表示画面３２０と、進行状況表示画面３３０と、項目残時間表示画面３４０と、項目進行表示画面３４１と、次項目時刻表示画面３５０と、番組尺表示画面３６０と、スタートボタン３７１と、ストップボタン３７２と、リセットボタン３７３と、テイクボタン３７４とを含む。
【００４４】
番組構成表示画面３１０は、番組構成表示画面生成部１３１により生成された番組構成表示画面を表示する。すなわち、番組の項目名と、項目ごとの放送時間及び番組累積時間を示す。番組構成表示画面は、初期状態では番組構成表に基づく表示であるが、番組が開始すると、放送時間及び番組累積時間は実際の番組の進行状況に応じて変化する。
【００４５】
番組経過時間表示画面３２０は、番組経過時間計測部１３２により計測された番組経過時間を表示する。
【００４６】
進行状況表示画面３３０は、進行状況把握部１３４により算出された時間を表示する。
【００４７】
項目残時間表示画面３４０は、項目残時間算出部１３５により算出された項目残時間を表示する。
【００４８】
項目進行表示画面３４１は、現在進行中の項目が番組の開始から何項目目であるかを表示する。
【００４９】
次項目時刻表示画面３５０は、次項目時刻決定部１３６により決定された次項目時刻を表示する。
【００５０】
番組尺表示画面３６０は、番組全体の放送時間を表示する。この値は、タイムキープ開始後は固定値である。
【００５１】
スタートボタン３７１は、ユーザによりオンにされると、制御部１３にタイムキープを開始するように指示する。なお、ボタンのオンは、入力装置２０を用いてボタンをクリックやタッチ操作することにより行われる。
【００５２】
ストップボタン３７２は、ユーザによりオンにされると、制御部１３にタイムキープを終了するように指示する。
【００５３】
リセットボタン３７３は、ユーザによりオンにされると、制御部１３にタイムキープ画面をタイムキープの開始前の状態に戻すように指示する。
【００５４】
テイクボタン３７４は、ユーザによりオンにされると、制御部１３に項目を次に進めるように指示する。タリー信号を取得できる場合など、項目が進んだことを自動判別できる場合には、ユーザはテイクボタン３７４を操作する必要はない。
【００５５】
タイムキープは番組の初めから自動的に行ってもよいし、開始位置をユーザが指定してもよい。例えば、リハーサル時は必ずしも番組の初めからリハーサルを行うとは限らないので、番組の初めからタイムキープをするのか、所定の項目の初めから又は残り３０秒からタイムキープをするのかなど、タイムキープの開始位置を任意に指定することができる。例えば、項目「スタジオ１」からリハーサルを行いたいときは、ユーザは入力装置２０を用いて、「スタジオ１」と記載された項目名欄３１１、又は該項目名欄３１１を含む項目欄３１４をオンにしてからスタートボタン３７１をオンにすると、項目「スタジオ１」までは放送予定時間どおりに進行したこととして、番組の途中からタイムキープを行うことができる。
【００５６】
図７に、開始位置を指定する場合の、表示装置３０に表示されたタイムキープ画面３１の一例を示す。図７に示すように、ユーザが入力装置２０を用いて、項目の欄の近辺を右クリックなどの所定の操作を行った場合には、表示装置３０は、ポップアップ画面を表示し、該項目が放送される何秒前からタイムキープを開始するかをユーザに選択させてもよい。
【００５７】
図８に、タイムキープを開始した後の、表示装置３０に表示されたタイムキープ画面３１の第１の例を示す。図８に示す例では、番組経過時間表示画面３２０は、番組が開始してから１７分４７秒が経過していることを表示し、項目残時間表示画面３４０は、現在進行中の項目の残時間の予定が１３秒であることを表示している。次項目時刻表示画面３５０は、次の項目に切り替わる予定時刻が１９時４８分０秒であることを表示している。すなわち、図８のタイムキープ画面３１は、予定では１３秒後の１９時４８分０秒に、現在進行中の項目「スタジオ１」から次項目「Ｖ２：人口増」に切り替わることを表示している。なお、タイムキープの実行中であっても、ユーザは、項目名欄３１１の記載と、現在の項目以降の項目の尺欄３１２の記載を変更することは可能である。
【００５８】
また、タイムキープ画面３１は、現在進行中の項目の項目名を、他の項目名と区別可能な態様で表示し、同様に、次項目の項目名も、他の項目名と区別可能な態様で表示する。例えば、現在進行中の項目「スタジオ１」の項目名欄３１１又は項目欄３１４の枠又は背景の色を第１の色で表示し、次項目「Ｖ２：人口増」の項目名欄３１１又は項目欄３１４の枠又は背景の色を第２の色で表示し、残りの項目の項目名欄３１１又は項目欄３１４の枠又は背景の色を第３の色で表示する。また、タイムキープ画面３１は、項目残時間表示画面３４０を現在進行中の項目の項目名と対応付け可能な態様で表示し、同様に、次項目時刻表示画面３５０を次項目の項目名と対応付け可能な態様で表示してもよい。例えば、項目残時間表示画面３４０の枠又は背景の色を、現在進行中の項目「スタジオ１」の項目名欄３１１又は項目欄３１４の枠又は背景の色と同じ第１の色で表示し、次項目時刻表示画面３５０の枠又は背景の色を、次項目「Ｖ２：人口増」の項目名欄３１１又は項目欄３１４の枠又は背景の色と同じ第２の色で表示する。
【００５９】
図９に、タイムキープを開始した後の、表示装置３０に表示されたタイムキープ画面３１の第２の例を示す。制御部１３は、項目の実際の放送時間が放送予定時間と異なった場合は、番組構成表示画面３１０の尺欄３１２に実際の放送時間を上書きするとともに、実際の放送時間が放送予定時間との差分時間を尺欄３１２の付近に表示させる。また、制御部１３は、実際の放送時間に基づく番組累積時間欄を上書きする。
【００６０】
項目欄３１４は、項目ごとの進行状況を表示する項目進行状況表示画面３１５を含んでもよい。図９に示す例では、項目「スタジオ１」の放送予定時間が４分４３秒であったのに対し、実際の放送時間が４分５０秒であったため、項目「スタジオ１」の尺欄３１２を４分４３秒から４分５０秒に更新し、項目進行状況表示画面３１５は遅れ時間として＋７秒と表示する。また、項目「スタジオ２」の放送予定時間が３分３０秒であったのに対し、実際の放送時間が３分３８秒であったため、項目「スタジオ２」の尺欄３１２を３分３０秒から３分３８秒に更新し、項目進行状況表示画面３１５は遅れ時間として＋８秒と表示する。また、尺欄３１２の時間の更新に合わせて、番組累積時間欄３１３の時間を更新する。また、項目「スタジオ１」の遅れ時間が７秒、項目「スタジオ２」の遅れ時間が８秒であるため、進行状況表示画面３３０は合計の遅れ時間を算出して＋０分１５秒と表示する。
【００６１】
また、項目「スタジオ２」までの番組累積時間が３０分５３秒であり、番組が開始してから３７分２５秒が経過しているため、項目「Ｖ３：橋」は６分３２秒経過している。項目「Ｖ３：橋」の放送予定時間は７分１０秒であるため、項目残時間表示画面３４０には項目残時間が３８秒であることを表示する。番組開始時刻が１９時３０分である場合、番組が開始してから３７分２５秒が経過し、項目残時間が３８秒であるため、次項目時刻表示画面３５０は、２０時８分３秒と表示する。
【００６２】
また、項目欄３１４は、放送予定時間に対する遅れ時間及び進み時間の調整を行った場合の時間を表示する調整時間表示画面３１６を含んでもよい。この調整をどの項目で行うかは、あらかじめユーザが指定する。図９に示す例では、遅れ時間及び進み時間の調整を項目「スタジオ３」で行う。項目「スタジオ３」の放送予定時間は３分４２秒であり、番組進行が１５秒押しているため、項目「スタジオ３」の放送時間を放送予定時間よりも１５秒短くする必要がある。そこで、調整時間表示画面３１６は、押し巻き吸収後の放送予定時間として３分２７秒と表示する。そして、項目「スタジオ３」の進行中は、項目残時間表示画面３４０は３分２７秒に対する残時間を表示する。
【００６３】
次に、自動タイムキープ装置１０の動作例について、図１０を参照して説明する。図１０は、自動タイムキープ装置１０の動作例を示すフローチャートである。
【００６４】
タイムキープを行うために、まずユーザは番組構成表に基づいて自動タイムキープ装置１０に番組構成情報を入力し、初期設定を行う（ステップＳ１０１）。
【００６５】
自動タイムキープ装置１０はユーザの指示に基づいて、図６に示に示すようなタイムキープ画面３１の初期画面を表示装置３０に表示させる。スタートボタン３７１がオンになると、自動タイムキープ装置１０はタイムキープを開始する。このほかに、自動タイムキープ装置１０がスイッチャー４０から「オンエアタリー信号」（番組開始が分かる信号）を取得した場合には、自動でタイムキープを開始する（ステップＳ１０２）。
【００６６】
自動タイムキープ装置１０は、タイムキープを開始すると、ストップボタン３７２がオフである場合には（ステップＳ１０３−Ｎｏ）、現在進行中の項目を把握するとともに、番組経過時間及び項目経過時間を計測する（ステップＳ１０４）。
【００６７】
そして、自動タイムキープ装置１０は、図８，９に示すようなタイムキープ画面３１を表示装置３０に表示させ、リアルタイムで番組経過時間、項目残時間、次項目時刻、進行状況などを表示する（ステップＳ１０５）。
【００６８】
自動タイムキープ装置１０は、タリー信号分類装置４４による分類結果に基づき、テイクインを判定する（ステップＳ１０６）。また、テイクボタン３７４がオンになった場合には、テイクインがあったと判定する（ステップＳ１０６−Ｙｅｓ）。スイッチャー４０からのタリー信号の切り替わりがなく、且つテイクボタン３７４がオフである場合には、テイクインがないものと判定する（ステップＳ１０６−Ｎｏ）。
【００６９】
自動タイムキープ装置１０は、テイクインがないと判定した場合には（ステップＳ１０６−Ｎｏ）、処理をステップＳ１０３に戻し、テイクインがあると判定した場合には（ステップＳ１０６−Ｙｅｓ）、次項目があるか判定する（ステップＳ１０７）。次項目がある場合には（ステップＳ１０７−Ｙｅｓ）、項目を次の項目に移行させ（ステップＳ１０８）、処理をステップＳ１０３に戻す。
【００７０】
自動タイムキープ装置１０は、ストップボタン３７２がオンになった場合（ステップＳ１０３−Ｙｅｓ）、又は次項目がない場合には（ステップＳ１０７−Ｎｏ）、タイムキープを終了する（ステップＳ１０９）。
【００７１】
このように、自動タイムキープ装置１０は、データ取得部１１により番組構成情報を取得し、制御部１３により番組経過時間の計測、現在進行中の項目の前の項目までの放送予定時間に対する遅れ時間及び進み時間の合計時間の算出、現在進行中の項目の放送予定時間と現在進行中の項目の放送時間との差分時間の算出などを行ってタイムキープ画面を生成し、データ出力部１４によりタイムキープ画面を表示装置３０に出力する。そのため、スタジオ制作におけるタイムキーパーの負担を軽減し、番組制作をサポートすることが可能となる。
【００７２】
（第２の実施形態）
次に、本発明の第２の実施形態について説明する。第１の実施形態と同一の構成については同一の参照番号を付して適宜説明を省略する。
【００７３】
図１１に、本発明の第２の実施形態に係る自動タイムキープ装置を含む自動タイムキープシステムの概略を示す。自動タイムキープシステム２は、自動タイムキープ装置１０’と、入力装置２０と、複数の表示装置３０と、スイッチャー４０と、インターフェース４２と、タリー信号分類装置４４と、１以上の撮像装置（カメラ）５０と、１以上の録画映像送出装置６０と、を備える。自動タイムキープシステム２は、さらに音声出力装置７０を備えてもよい。
【００７４】
図１２に、自動タイムキープ装置１０’の構成例を示す。自動タイムキープ装置１０’は、データ取得部１１と、記憶部１２と、制御部１３’と、データ出力部１４とを備える。すなわち、自動タイムキープ装置１０’は、第１の実施形態の自動タイムキープ装置１０と比較して制御部の動作が相違する。
【００７５】
図１３に、制御部１３’の構成例を示す。制御部１３’は、番組構成表示画面生成部１３１と、番組経過時間計測部１３２と、項目経過時間計測部１３３と、進行状況把握部１３４と、項目残時間算出部１３５と、次項目時刻決定部１３６と、遅れ／進み時間調整部１３７と、タイムキープ画面生成部１３８と、サブ画面生成部１３９と、音声データ生成部１４０とを備える。すなわち、制御部１３’は、第１の実施形態の制御部１３と比較して、更にサブ画面生成部１３９と、音声データ生成部１４０とを備える。
【００７６】
サブ画面生成部１３９は、現在進行中の項目の項目名を示す項目名表示画面と、番組経過時間計測部１３２により計測された番組経過時間を示す番組経過時間表示画面と、項目残時間算出部１３５により算出された項目残時間を示す項目残時間表示画面と、進行状況把握部１３４により算出された合計時間を示す進行状況表示画面とを含むサブ画面を生成し、データ出力部１４に出力する。データ出力部１４は、サブ画面を表示装置３０に出力して表示させる。
【００７７】
図１４に、タイムキープを開始した後の、表示装置３０に表示されたサブ画面の一例を示す。図１４に示す例では、サブ画面３２は、項目名表示画面３８１と、番組経過時間表示画面３８２と、項目残時間表示画面３８３と、進行状況表示画面３８４とを含む。
【００７８】
図１４に示す例では、項目名表示画面３８１は、現在進行中の項目の項目名が「Ｖ２：人口増」であることを表示している。進行状況表示画面３８４は、番組が開始してから現在進行中の項目の前の項目までの遅れ時間が７秒であることを表示している。
【００７９】
番組経過時間表示画面３８２は、番組経過時間を表示する。その際、円グラフを併用してもよい。図１４に示す例では、外側の円が秒を示し、内側の円が分を示し、番組が開始してから２２分３３秒経過したことを示している。
【００８０】
項目残時間表示画面３８３は、現在進行中の項目の項目残時間が４分４２秒であることを表示している。図９に示したように、現在進行中の項目「Ｖ２：人口増」の放送予定時間が９分８秒であり、前の項目「スタジオ１」までの番組累積時間が１８分７秒である場合において、番組経過時間表示画面３８２に示すように番組経過時間が２２分３３秒である場合には、項目「Ｖ２：人口増」の残時間は、９分８秒−（２２分３３秒−１８分７秒）＝４分４２秒となる。なお、残時間の計算方法はこれに限られるものではない。
【００８１】
表示装置３０は、タイムキープ画面３１以外に、サブ画面３２を表示する。例えば、１台の表示装置３０がタイムキープ画面３１を表示し、残りの表示装置３０がサブ画面３２を表示する。
【００８２】
音声データ生成部１４０は、必要に応じてユーザに時間を通知するための音声データを生成し、データ出力部１４に出力する。データ出力部１４は、音声データを音声出力装置７０に出力する。
【００８３】
音声データ生成部１４０は、具体的には、項目終了前の予め設定したタイミングで項目残時間を通知する音声データを生成する。例えば、項目残時間の１０秒前から残時間をカウントダウンするために「１０秒前、５、４、３、２」という音声データを生成してもよい。あるいは、項目が終了する何秒前であるかを通知するために、カウントダウンではなく「○秒前」という音声データを生成してもよい。
【００８４】
音声出力のオン／オフ設定は、音声出力装置７０で行うことができる。また、タイムキープ画面３１及び／又はサブ画面３２において、音声データを出力させるための音声出力ボタンのアイコンを生成し、表示装置３０に音声出力ボタンを表示させてもよい。
【００８５】
また、音声データ生成部１４０は、項目残時間算出部１３５で算出された項目残時間を通知する音声データを生成してもよい。例えば、表示装置３０に表示させた音声出力ボタンがユーザによりオンにされた場合に、その時点での項目残時間を通知する音声データを生成する。
【００８６】
また、音声データ生成部１４０は、進行状況把握部１３４で算出された遅れ時間及び進み時間の合計時間を通知する音声データを生成してもよい。例えば、表示装置３０に表示させた音声出力ボタンがユーザによりオンにされた場合に、その時点での遅れ時間及び進み時間の合計時間を生成する。例えば、合計時間が−１５秒の場合には「１５秒巻き」という音声データを生成し、合計時間が＋３０秒の場合には「３０秒押し」という音声データを生成する。
【００８７】
音声出力装置７０は、音声データ生成部１４０により生成された音声データを音声出力する。音声出力は実際のタイムキーパーの役割により近い機能となる。なお、音声出力装置７０がスマートスピーカーである場合には、ユーザが口頭で残り時間などを聞いたときに、音声出力するようにしてもよい。
【００８８】
このように本実施形態では、サブ画面３２を表示する表示装置３０を各所に配置することにより、ディレクター以外の技術スタッフなどの番組担当者に、必要な情報を分かりやすく伝えられるようになり、複数人で番組進行状況を確認することが可能となる。また、本実施形態では、タイムキーパーに代わって項目残時間などを読み上げることができる。そのため、よりタイムキーパーの負担を軽減することが可能となる。
【００８９】
以上、自動タイムキープ装置１０，１０’について説明したが、自動タイムキープ装置１０，１０’として機能させるためにコンピュータを用いることも可能である。そのようなコンピュータは、自動タイムキープ装置１０，１０’の各機能を実現する処理内容を記述したプログラムを該コンピュータの記憶部（記憶部１２）に格納しておき、該コンピュータのＣＰＵ（制御部１３，１３’）によってこのプログラムを読み出して実行させることで実現することができる。
【００９０】
また、このプログラムは、コンピュータ読取り可能媒体に記録されていてもよい。コンピュータ読取り可能媒体を用いれば、コンピュータにインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭなどの記録媒体であってもよい。
【００９１】
上述の実施形態は代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、実施形態の構成図に記載の複数の構成ブロックを１つに組み合わせたり、あるいは１つの構成ブロックを分割したりすることが可能である。
【符号の説明】
【００９２】
１，２  自動タイムキープシステム
１０，１０’  自動タイムキープ装置
１１    データ取得部
１２    記憶部
１３，１３’  制御部
１４    データ出力部
２０    入力装置
３０    表示装置
３１    タイムキープ画面
３２    サブ画面
４０    スイッチャー
４２    インターフェース
４４    タリー信号分類装置
５０    撮像装置
６０    録画映像送出装置
７０    音声出力装置
１３１  番組構成表示画面生成部
１３２  番組経過時間計測部
１３３  項目経過時間計測部
１３４  進行状況把握部
１３５  項目残時間算出部
１３６  次項目時刻決定部
１３７  遅れ／進み時間調整部
１３８  タイムキープ画面生成部
１３９  サブ画面生成部
１４０  音声データ生成部
３０９  番組構成情報入力画面
３１０  番組構成表示画面
３１１  項目名欄
３１２  尺欄
３１３  番組累積時間欄
３１４  項目欄
３１５  項目進行状況表示画面
３１６  調整時間表示画面
３２０  番組経過時間表示画面
３３０  進行状況表示画面
３４０  項目残時間表示画面
３４１  項目進行表示画面
３５０  次項目時刻表示画面
３６０  番組尺表示画面
３７１  スタートボタン
３７２  ストップボタン
３７３  リセットボタン
３７４  テイクボタン
３８１  項目名表示画面
３８２  番組経過時間表示画面
３８３  項目残時間表示画面
３８４  進行状況表示画面
【図１】
2020088751.tif 000003
【図２】
2020088751.tif 000004
【図３】
2020088751.tif 000005
【図４】
2020088751.tif 000006
【図５】
2020088751.tif 000007
【図６】
2020088751.tif 000008
【図７】
2020088751.tif 000009
【図８】
2020088751.tif 000010
【図９】
2020088751.tif 000011
【図１０】
2020088751.tif 000012
【図１１】
2020088751.tif 000013
【図１２】
2020088751.tif 000014
【図１３】
2020088751.tif 000015
【図１４】
2020088751.tif 000016